(57)【要約】【課題】顕熱交換部での結露の発生を抑制し得るデシカント空調装置を提供する。【解決手段】運転制御手段１３が、駆動手段１１を作動させ且つ調湿用加熱手段１２を加熱作用させて、吸湿側風路６を通流する吸湿対象空気から吸湿した水分を放湿側風路８を通流する放湿対象空気に放湿する調湿運転を実行するように構成されたデシカント空調装置であって、調湿運転中において、吸湿側風路６における調湿体１０と顕熱交換部Ｓとの間の箇所を通流する吸湿対象空気の絶対湿度に相当する吸湿対象空気の吸湿後絶対湿度を検出し、及び、放湿側風路８における顕熱交換部Ｓよりも通風方向上手側箇所を通流する放湿対象空気の温度を検出して、その検出した放湿対象空気の温度に対応する放湿対象空気温度の飽和絶対湿度を求めて、吸湿対象空気の吸湿後絶対湿度及び放湿対象空気温度の飽和絶対湿度に基づいて、顕熱交換部Ｓでの結露の発生を予測する結露発生予測手段Ｍが設けられている。【選択図】図１
2008164203.tif 000002
【特許請求の範囲】
【請求項１】
吸湿側風路を通して吸湿対象空気を通流させる吸湿側送風手段と、
放湿側風路を通して放湿対象空気を通流させる放湿側送風手段と、
一部を前記吸湿側風路に位置させ且つ他の一部を前記放湿側風路に位置させるように配置されて駆動手段により駆動回転される調湿体、及び、前記放湿側風路における前記調湿体よりも通風方向上手側箇所にて放湿対象空気に対して加熱作用する調湿用加熱手段を備えた調湿手段と、
前記放湿側風路における前記調湿用加熱手段よりも通風方向上手側箇所を通流する放湿対象空気と前記吸湿側風路における前記調湿体よりも通風方向下手側箇所を通流する吸湿対象空気とを熱交換させる顕熱交換部と、
運転を制御する運転制御手段とが設けられ、
その運転制御手段が、前記駆動手段を作動させ且つ前記調湿用加熱手段を加熱作用させて、前記吸湿側風路を通流する吸湿対象空気から吸湿した水分を前記放湿側風路を通流する放湿対象空気に放湿する調湿運転を実行するように構成されたデシカント空調装置であって、
前記調湿運転中において、前記吸湿側風路における前記調湿体と前記顕熱交換部との間の箇所を通流する吸湿対象空気の絶対湿度に相当する吸湿対象空気の吸湿後絶対湿度を検出し、及び、前記放湿側風路における前記顕熱交換部よりも通風方向上手側箇所を通流する放湿対象空気の温度を検出して、その検出した放湿対象空気の温度に対応する放湿対象空気温度の飽和絶対湿度を求めて、前記吸湿対象空気の吸湿後絶対湿度及び前記放湿対象空気温度の飽和絶対湿度に基づいて、前記顕熱交換部での結露の発生を予測する結露発生予測手段が設けられているデシカント空調装置。
【請求項２】
前記運転制御手段が、前記結露発生予測手段により結露の発生が予測されることに基づいて、結露の発生を抑制する結露抑制処理を実行するように構成されている請求項１記載のデシカント空調装置。
【請求項３】
前記結露発生予測手段が、前記吸湿側風路における前記調湿体よりも通風方向上手側箇所にて吸湿対象空気の温度と相対湿度を検出してその検出した吸湿対象空気の温度及び相対湿度に基づいて吸湿対象空気の吸湿前絶対湿度を求め、且つ、吸湿量導出情報に基づいて前記調湿手段による吸湿対象空気からの吸湿量を求めて、求めた吸湿対象空気の吸湿前絶対湿度及び調湿手段による吸湿量に基づいて、前記吸湿対象空気の吸湿後絶対湿度を求めるように構成されている請求項１又は２記載のデシカント空調装置。
【請求項４】
前記運転制御手段が、前記吸湿側送風手段及び前記放湿側送風手段夫々による送風量を設定送風量に調節すべく前記吸湿側送風手段及び前記放湿側送風手段夫々の駆動電力を調節するように構成され、且つ、前記吸湿側送風手段及び前記放湿側送風手段夫々について調節した駆動電力の値に基づいて、前記顕熱交換部での結露の発生を検出するように構成されている請求項１〜３のいずれか１項に記載のデシカント空調装置。
【請求項５】
前記吸湿側風路における前記顕熱交換部よりも通風方向上手側箇所にて吸湿対象空気に対して加熱作用する乾燥用加熱手段が設けられ、
前記運転制御手段が、前記顕熱交換部での結露の発生を検出すると、前記乾燥用加熱手段を加熱作用させる乾燥運転を実行するように構成されている請求項４記載のデシカント空調装置。
【発明の詳細な説明】
【技術分野】
【０００１】
本発明は、吸湿側風路を通して吸湿対象空気を通流させる吸湿側送風手段と、
放湿側風路を通して放湿対象空気を通流させる放湿側送風手段と、
一部を前記吸湿側風路に位置させ且つ他の一部を前記放湿側風路に位置させるように配置されて駆動手段により駆動回転される調湿体、及び、前記放湿側風路における前記調湿体よりも通風方向上手側箇所にて放湿対象空気に対して加熱作用する調湿用加熱手段を備えた調湿手段と、
前記放湿側風路における前記調湿用加熱手段よりも通風方向上手側箇所を通流する放湿対象空気と前記吸湿側風路における前記調湿体よりも通風方向下手側箇所を通流する吸湿対象空気とを熱交換させる顕熱交換部と、
運転を制御する運転制御手段とが設けられ、
その運転制御手段が、前記駆動手段を作動させ且つ前記調湿用加熱手段を加熱作用させて、前記吸湿側風路を通流する吸湿対象空気から吸湿した水分を前記放湿側風路を通流する放湿対象空気に放湿する調湿運転を実行するように構成されたデシカント空調装置に関する。
【背景技術】
【０００２】
かかるデシカント空調装置は、主として集合住宅の各住宅や戸建て住宅に設けて、その住宅の空調対象空間内の空気である内気と外気とを顕熱交換部にて熱交換させ且つ調湿手段により外気を加湿又は除湿しながら、内気を空調対象空間から排出し且つ外気を空調対象空間に供給することにより、空調対象空間を換気するのと並行して、内気の熱又は冷熱を回収することが可能なようにし、又、空調対象空間を加湿又は除湿することが可能なようにしたものである（例えば、特許文献１参照。）。
【０００３】
つまり、空調対象空間を加湿することが可能な加湿型は、吸湿側風路を通して吸湿対象空気として内気を通流させ、放湿側風路を通して放湿対象空気として外気を通流させるように構成する。
この加湿型のデシカント空調装置を調湿運転させると、内気は、調湿体を通過するときに吸湿され、続いて、顕熱交換部を通過するときに外気と熱交換した後、屋外に排出され、外気は、顕熱交換部を通過するときに内気と熱交換し、続いて、調湿用加熱手段にて加熱され、続いて、調湿体を通過するときに水分が放湿されて加湿され、そのように加湿された外気が空調対象空間に供給されることになり、空調対象空間を加湿することが可能となる。
ちなみに、空調対象空間を加湿するのは、一般に冬期等であり、そして、冬期等では、空調対象空間はこのデシカント空調装置とは別の暖房装置により暖房される場合がある。
【０００４】
又、空調対象空間を除湿することが可能な除湿型は、吸湿側風路を通して吸湿対象空気として外気を通流させ、放湿側風路を通して放湿対象空気として内気を通流させるように構成する。
この除湿型のデシカント装置を調湿運転させると、外気は、調湿体を通過するときに吸湿されて除湿され、続いて、顕熱交換部を通過するときに内気と熱交換し、内気は、顕熱交換部を通過するときに外気と熱交換し、続いて、調湿用加熱手段により加熱され、続いて、調湿体を通過するときに水分が放湿されることになり、上述のように調湿体にて除湿された外気が空調対象空間に供給されることになり、空調対象空間を除湿することが可能となる。
ちなみに、空調対象空間を除湿するのは、一般に梅雨時期や夏期等であり、そして、梅雨時期や夏期等では、空調対象空間はこのデシカント空調装置とは別の冷房装置により冷房される場合がある。
【０００５】
【特許文献１】特開２００３−４２５５号公報
【発明の開示】
【発明が解決しようとする課題】
【０００６】
ところで、吸湿対象空気の温度や湿度、放湿対象空気の温度や湿度によっては、顕熱交換部において結露が発生する虞がある。
つまり、加湿型のデシカント空調装置の運転中、吸湿対象空気としての内気の温度が放湿対象空気としての外気の温度よりも高い状態では、顕熱交換部にて内気が外気により冷却されることになるが、その顕熱交換部に供給される内気の絶対湿度が、顕熱交換部にて外気により冷却される内気の温度における飽和絶対湿度よりも高い場合には、顕熱交換部にて内気が外気により冷却される際に内気が結露する虞がある。
特に、冬期等において空調対象空間が暖房される等により内気の温度が高くなり、内気の絶対湿度が高くなっていると、顕熱交換部にて内気が結露し易い。
【０００７】
又、除湿型のデシカント空調装置の運転中、放湿対象空気としての内気の温度が吸湿対象空気としての外気の温度よりも低い状態では、顕熱交換部にて外気が内気により冷却されることになるが、その顕熱交換部に供給される外気の絶対湿度が、顕熱交換部にて内気により冷却される外気の温度における飽和絶対湿度よりも高い場合には、顕熱交換部にて外気が内気により冷却される際に外気が結露する虞がある。
特に、梅雨時期や夏期等において空調対象空間が冷房される等により内気の温度が低くなっているときに、顕熱交換部にて外気が結露し易い。
【０００８】
しかしながら、従来のデシカント空調装置では、顕熱交換部での結露の発生を抑制することができなかった。
【０００９】
本発明は、かかる実情に鑑みてなされたものであり、その目的は、顕熱交換部での結露の発生を抑制し得るデシカント空調装置を提供することにある。
【課題を解決するための手段】
【００１０】
本発明のデシカント空調装置は、吸湿側風路を通して吸湿対象空気を通流させる吸湿側送風手段と、
放湿側風路を通して放湿対象空気を通流させる放湿側送風手段と、
一部を前記吸湿側風路に位置させ且つ他の一部を前記放湿側風路に位置させるように配置されて駆動手段により駆動回転される調湿体、及び、前記放湿側風路における前記調湿体よりも通風方向上手側箇所にて放湿対象空気に対して加熱作用する調湿用加熱手段を備えた調湿手段と、
前記放湿側風路における前記調湿用加熱手段よりも通風方向上手側箇所を通流する放湿対象空気と前記吸湿側風路における前記調湿体よりも通風方向下手側箇所を通流する吸湿対象空気とを熱交換させる顕熱交換部と、
運転を制御する運転制御手段とが設けられ、
その運転制御手段が、前記駆動手段を作動させ且つ前記調湿用加熱手段を加熱作用させて、前記吸湿側風路を通流する吸湿対象空気から吸湿した水分を前記放湿側風路を通流する放湿対象空気に放湿する調湿運転を実行するように構成されたものであって、
第１特徴構成は、前記調湿運転中において、前記吸湿側風路における前記調湿体と前記顕熱交換部との間の箇所を通流する吸湿対象空気の絶対湿度に相当する吸湿対象空気の吸湿後絶対湿度を検出し、及び、前記放湿側風路における前記顕熱交換部よりも通風方向上手側箇所を通流する放湿対象空気の温度を検出して、その検出した放湿対象空気の温度に対応する放湿対象空気温度の飽和絶対湿度を求めて、前記吸湿対象空気の吸湿後絶対湿度及び前記放湿対象空気温度の飽和絶対湿度に基づいて、前記顕熱交換部での結露の発生を予測する結露発生予測手段が設けられている点を特徴とする。
【００１１】
即ち、結露発生予測手段は、調湿運転中において、吸湿側風路における調湿体と顕熱交換部との間の箇所を通流する吸湿対象空気の絶対湿度を検出し、つまり、吸湿対象空気の吸湿後絶対湿度を検出し、及び、放湿側風路における顕熱交換部よりも通風方向上手側箇所を通流する放湿対象空気の温度を検出して、その検出した放湿対象空気の温度に対応する放湿対象空気温度の飽和絶対湿度を求めて、吸湿対象空気の吸湿後絶対湿度及び放湿対象空気温度の飽和絶対湿度に基づいて、顕熱交換部での結露の発生を予測する。
【００１２】
つまり、顕熱交換部において吸湿対象空気と放湿対象空気とが熱交換するときに、吸湿対象空気の絶対湿度が放湿対象空気の温度に対応する飽和絶対湿度よりも高い場合には、顕熱交換部にて吸湿対象空気が冷却されると、吸湿対象空気が結露する虞がある。
そこで、調湿運転中において、調湿体にて吸湿された後、顕熱交換部に供給される前の吸湿対象空気の絶対湿度を検出し、つまり、吸湿対象空気の吸湿後絶対湿度を検出し、並びに、顕熱交換部に供給される前の放湿対象空気の温度を検出して、その検出温度に対応する空気の飽和絶対湿度を放湿対象空気温度の飽和絶対湿度としてマップデータや演算式等により求めることにより、これら吸湿対象空気の吸湿後絶対湿度と放湿対象空気温度の飽和絶対湿度とに基づいて、顕熱交換部において結露が発生する虞があることを予測することが可能となる。
そして、顕熱交換部において結露が発生する虞があることを予測することが可能となると、例えば、結露の発生の虞があることを報知するように構成することにより、使用者が調湿運転を停止する、あるいは、結露の発生の抑制が可能な別の運転（例えば、放湿側風路を通しての放湿対象空気の通流を停止させた状態で、吸湿側風路を通して吸湿対象空気を通流させる運転）に切り換える等、結露の発生を抑制する処理を講ずることが可能となる。
従って、顕熱交換部での結露の発生を抑制し得るデシカント空調装置を提供することができるようになった。
【００１３】
第２特徴構成は、上記第１特徴構成に加えて、
前記運転制御手段が、前記結露発生予測手段により結露の発生が予測されることに基づいて、結露の発生を抑制する結露抑制処理を実行するように構成されている点を特徴とする。
【００１４】
即ち、運転制御手段は、結露発生予測手段により結露の発生が予測されることに基づいて、結露の発生を抑制する結露抑制処理を実行する。
【００１５】
つまり、結露発生予測手段により結露の発生が予測されることに基づいて、結露抑制処理が自動的に実行されるので、使用者の手間を省くことが可能となり、そして、そのように結露抑制処理が実行されると、顕熱交換部での結露の発生が抑制されることになる。
従って、顕熱交換部での結露の発生が自動的に抑制されるので、ドレンパンやドレン配管が不要で施工性や使い勝手を向上することができるようになった。
【００１６】
第３特徴構成は、上記第１又は第２特徴構成に加えて、
前記結露発生予測手段が、前記吸湿側風路における前記調湿体よりも通風方向上手側箇所にて吸湿対象空気の温度と相対湿度を検出してその検出した吸湿対象空気の温度及び相対湿度に基づいて吸湿対象空気の吸湿前絶対湿度を求め、且つ、吸湿量導出情報に基づいて前記調湿手段による吸湿対象空気からの吸湿量を求めて、求めた吸湿対象空気の吸湿前絶対湿度及び調湿手段による吸湿量に基づいて、前記吸湿対象空気の吸湿後絶対湿度を求めるように構成されている点を特徴とする。
【００１７】
即ち、結露発生予測手段は、吸湿側風路における調湿体よりも通風方向上手側箇所にて吸湿対象空気の温度と相対湿度を検出してその検出した吸湿対象空気の温度及び相対湿度に基づいて吸湿対象空気の吸湿前絶対湿度を求め、且つ、吸湿量導出情報に基づいて調湿手段による吸湿対象空気からの吸湿量を求めて、求めた吸湿対象空気の吸湿前絶対湿度及び調湿手段による吸湿量に基づいて、吸湿対象空気の吸湿後絶対湿度を求める。
【００１８】
つまり、空気の温度及び相対湿度と絶対湿度との間には一定の関係があるので、空気の温度及び相対湿度から絶対湿度を求めるための情報を結露発生予測手段に記憶させておき、結露発生予測手段によって、吸湿側風路における調湿体よりも通風方向上手側箇所にて吸湿対象空気の温度と相対湿度とを検出させて、吸湿対象空気の吸湿前絶対湿度を求めさせることができる。
又、調湿手段にて吸湿対象空気から吸湿する吸湿量は、吸湿対象空気の吸湿前絶対湿度及び調湿手段の設計条件により定まるので、予め、吸湿対象空気の吸湿前絶対湿度に基づいて調湿手段による吸湿量を求めるための吸湿量導出情報を定めて、結露発生予測手段に記憶させておき、結露発生予測手段によって調湿手段による吸湿量を求めさせることができる。
そして、結露発生予測手段により、上述のように吸湿対象空気の吸湿前絶対湿度及び調湿手段による吸湿量を求めさせて、それら吸湿対象空気の吸湿前絶対湿度及び調湿手段による吸湿量に基づいて吸湿対象空気の吸湿後絶対湿度を求めさせるのである。
【００１９】
ところで、温度を検出する温度検出手段や相対湿度を検出する相対湿度検出手段は安価なものであるので、結露発生予測手段をそれら温度検出手段や相対湿度検出手段を用いて構成することにより、結露発生予測手段を、絶対湿度を直接検出するように構成した所謂絶対湿度センサを用いて構成する場合に比べて、デシカント空調装置の低廉化を図ることができる。
又、このようなデシカント空調装置においては、空調対象空間の温度及び相対湿度を検出するために、内気の温度を検出する温度検出手段及び相対湿度を検出する相対湿度検出手段を設ける場合や、屋外の温度及び相対湿度を検出するために、外気の温度を検出する温度検出手段及び相対湿度を検出する相対湿度検出手段を設ける場合がある。
このように空調対象空間又は屋外の温度及び湿度を検出するために設けた温度検出手段及び相対湿度検出手段を、吸湿対象空気の吸湿前絶対湿度を検出するための温度検出手段及び相対湿度検出手段に兼用することが可能となり、デシカント空調装置の低廉化を図ることができる。
従って、デシカント空調装置の低廉化を図りながら、顕熱交換部での結露の発生を抑制することができるようになった。
【００２０】
第４特徴構成は、上記第１〜第３特徴構成のいずれかに加えて、
前記運転制御手段が、前記吸湿側送風手段及び前記放湿側送風手段夫々による送風量を設定送風量に調節すべく前記吸湿側送風手段及び前記放湿側送風手段夫々の駆動電力を調節するように構成され、且つ、前記吸湿側送風手段及び前記放湿側送風手段夫々について調節した駆動電力の値に基づいて、前記顕熱交換部での結露の発生を検出するように構成されている点を特徴とする。
【００２１】
即ち、運転制御手段は、吸湿側送風手段及び放湿側送風手段夫々による送風量を設定送風量に調節すべく吸湿側送風手段及び放湿側送風手段夫々の駆動電力を調節する。
そして、運転制御手段は、吸湿側送風手段及び放湿側送風手段夫々について調節した駆動電力の値に基づいて、顕熱交換部での結露の発生を検出する。
【００２２】
つまり、空調対象空間の換気量を設定量に維持するために、吸湿側送風手段及び放湿側送風手段夫々の駆動電力を調節することにより、吸湿側送風手段及び放湿側送風手段夫々による送風量を設定送風量に調節するように構成される。
顕熱交換部において結露が発生すると、通気抵抗が増大するので、送風量を設定送風量に調節するために、吸湿側送風手段又は放湿側送風手段の駆動電力が増大調節されることになり、吸湿側送風手段及び放湿側送風手段夫々について調節した駆動電力の値に基づいて、顕熱交換部での結露の発生を検出することが可能となるのである。
しかも、このように吸湿側送風手段及び放湿側送風手段夫々について調節した駆動電力の値に基づいて、顕熱交換部での結露の発生を検出するように構成することにより、結露センサ等の結露を検出するための手段を追加することなく、顕熱交換部での結露の発生を検出することが可能となり、デシカント空調装置の低廉化を図ることができる。
そして、顕熱交換部での結露の発生を検出することが可能となると、例えば、結露が発生したことを報知することにより、使用者により、顕熱交換器を乾燥するための乾燥運転に切り換える等、結露水を消失させる処理を講ずることが可能となる。
従って、万が一、顕熱交換部において結露が発生しても、発生した結露水を消失させる処理を講ずることが可能なようにすることができた。
【００２３】
第５特徴構成は、上記第４特徴構成に加えて、
前記吸湿側風路における前記顕熱交換部よりも通風方向上手側箇所にて吸湿対象空気に対して加熱作用する乾燥用加熱手段が設けられ、
前記運転制御手段が、前記顕熱交換部での結露の発生を検出すると、前記乾燥用加熱手段を加熱作用させる乾燥運転を実行するように構成されている点を特徴とする。
【００２４】
即ち、運転制御手段は、顕熱交換部での結露の発生を検出すると、乾燥用加熱手段を加熱作用させる乾燥運転を実行する。
つまり、顕熱交換部での結露の発生が検出されると、乾燥運転が自動的に実行されるので、使用者の手間を省くことが可能となり、そして、そのように乾燥運転が実行されると、乾燥用加熱手段にて加熱された吸湿対象空気が顕熱交換部を通流するので、結露水が蒸発して顕熱交換部が乾燥される。
従って、顕熱交換部において結露が発生しても、発生した結露水を消失させるための乾燥運転が自動的に実行されるので、使い勝手を向上することができるようになった。
【発明を実施するための最良の形態】
【００２５】
〔第１実施形態〕
以下、本発明の第１実施形態を説明する。
図１に示すように、デシカント空調装置は、外気ＯＡを装置内に吸い込むための外気吸込口１、その装置内に吸い込んだ外気ＯＡを供給用空気ＳＡとして住宅内に供給するための給気送出口２、住宅内の空気（以下、内気と称する）ＲＡを装置内に吸い込むための内気吸込口３及びその装置内に吸い込んだ内気ＲＡを排出用空気ＥＡとして屋外に排出するための排気送出口４を備えたケーシング５を用いて組み付けて構成してある。
【００２６】
図示は省略するが、このデシカント空調装置を住宅の天井裏等に設置して、屋外から外気ＯＡを導入する外気導入ダクトを前記外気吸込口１に接続し、住宅内の空調対象空間としての複数の空調対象室夫々の天井の給気口に分岐接続した給気ダクトを前記給気送出口２に接続し、前記複数の空調対象室に連通する廊下等の天井に設けた排気口に接続した排気ダクトを前記内気吸込口３に接続し、内気ＲＡを屋外に排出する排気導出ダクトを前記排気送出口４に接続する。
そして、前記外気導入ダクトを通じて導入した外気ＯＡを調湿して供給用空気ＳＡとして前記給気ダクトを通じて各給気口から各空調対象室に供給すると共に、ドアのアンダーカット等から廊下に流出した各空調対象室の内気ＲＡを合流状態で排気口から前記排気ダクトを通じて吸込んで、排出用空気ＥＡとして前記排気導出ダクトを通じて屋外に排出するように構成してある。
【００２７】
図１に示すように、このデシカント空調装置は、吸湿側風路６を通して吸湿対象空気Ａ１を通流させる吸湿側送風手段としての吸湿側送風機７と、放湿側風路８を通して放湿対象空気Ａ２を通流させる放湿側送風手段としての放湿側送風機９と、一部を前記吸湿側風路６に位置させ且つ他の一部を前記放湿側風路８に位置させるように配置されて駆動手段としての電動モータ１１により駆動回転される調湿体としての調湿ロータ１０、及び、前記放湿側風路８における前記調湿ロータ１０よりも通風方向上手側箇所にて放湿対象空気Ａ２に対して加熱作用する調湿用加熱手段としての調湿用加熱器１２を備えた調湿手段としての調湿部Ｂと、前記放湿側風路８における前記調湿用加熱器１２よりも通風方向上手側箇所を通流する放湿対象空気Ａ２と前記吸湿側風路６における前記調湿ロータ１０よりも通風方向下手側箇所を通流する吸湿対象空気Ａ１とを熱交換させる顕熱交換部Ｓと、前記吸湿側風路６における前記調湿ロータ１０よりも通風方向上手側箇所にて吸湿対象空気Ａ１に対して加熱作用する乾燥用加熱手段としての乾燥用加熱器４０と、運転を制御する運転制御手段としての運転制御部１３と、その運転制御部１３に各種制御情報を指令する遠隔操作式の操作部１４等を備えて構成してある。
【００２８】
以下、デシカント空調装置の各部について説明を加える。
図１ないし図３に示すように、前記ケーシング５は、薄型状の直方体形状に形成し、その厚さ方向視における４つの側壁のうちの一側壁に、吸湿側吸込口５ａ及び放湿側送出口５ｄを並べて設け、それら吸湿側吸込口５ａ及び放湿側送出口５ｄを設けた側壁に対向する側壁に、放湿側吸込口５ｃ及び吸湿側送出口５ｂを放湿側吸込口５ｃが前記吸湿側吸込口５ａと同じ側に位置する状態で並べて設けてある。
【００２９】
前記ケーシング５の内部を、中間隔壁１５にて、前記吸湿側吸込口５ａ及び前記放湿側吸込口５ｃの側の風路形成部１６と、前記放湿側送出口５ｄ及び前記吸湿側送出口５ｂの側の送風機室形成部１７とに仕切り、更に、その送風機室形成部１７を、送風機室隔壁１８にて、前記吸湿側送出口５ｂの側の吸湿側送風機室１９と前記放湿側送出口５ｄの側の放湿側送風機室２０とに仕切ってある。
【００３０】
図１、図２及び図４に示すように、前記調湿ロータ１０を、円盤状でその軸心方向に通気自在なハニカム状の基材に吸湿材（シリカゲルや塩化リチウム等）を保持して構成し、その外周部に全周にわたってギア部２１を設けてある。
そして、前記調湿ロータ１０をその軸心周りで回転自在に矩形枠状の支持枠２２に支持すると共に、その支持枠２２に、前記電動モータ１１をその出力軸に設けたギア２３を前記調湿ロータ１０の外周部のギア部２１に噛み合わせた状態で設けて、ユニット状の潜熱交換ユニットＬを構成してある。
そして、電動モータ１１を作動させることにより、調湿ロータ１０を軸芯周りに駆動回転するように構成してある。
つまり、ユニット状の潜熱交換ユニットＬと前記調湿用加熱器１２とにより、前記調湿部Ｂを構成してある。
【００３１】
前記支持枠２２における前記調湿ロータ１０の軸心方向に並ぶ両側部の夫々には、一対の概ね半円状の開口２２ｗを、前記軸心方向視において一方の側部の開口２２ｗと他方の側部の開口２２ｗとが重なる状態で形成してある。
その支持枠２２の各開口２２ｗには、シール材２４をその先端が前記調湿ロータ１０に当接する状態で各開口２２ｗの全周にわたって嵌め込んで設けてある。
【００３２】
図１に示すように、前記顕熱交換部Ｓは、第１熱交換流路（図示省略）及び第２熱交換流路（図示省略）を直交する状態で且つ夫々の熱交換流路を通流する流体同士で熱交換される状態で備えた静止型の顕熱交換器２５にて構成してある。
説明を加えると、この顕熱交換器２５は、厚さ方向視の形状が略正方形状の直方体又は立方体状であり、図示は省略するが、厚さ方向に複数の第１熱交換流路及び複数の第２熱交換流路が隔壁を隔てて交互に並ぶ形態でアルミニウム等の熱伝導率の高い材料にて形成してある。
そして、この顕熱交換器２５における厚さ方向視での４つの側面のうちの１つの側面２５ａには、前記複数の第１熱交換流路の入口側開口部が形成され、その側面２５ａとは反対側の側面２５ｂには、前記複数の第１熱交換流路の出口側開口部が形成され、残りの２つの側面のうちの１つの側面２５ｃには、前記複数の第２熱交換流路の入口側開口部が形成され、その側面２５ｃとは反対側の側面２５ｄには、前記複数の第２熱交換流路の出口側開口部が形成されている。
【００３３】
そして、図１に示すように、前記潜熱交換ユニットＬ及び前記顕熱交換器２５を、前記ケーシング５内における前記風路形成部１６内に、潜熱交換ユニットＬを吸湿側吸込口５ａの側に位置させる状態で吸湿側吸込口５ａ及び放湿側吸込口５ｃの並び方向に並べて設けてある。
潜熱交換ユニットＬを、一対の開口２２ｗが前記ケーシング５の横幅方向に並ぶ姿勢で、前記ケーシング５内における前記風路形成部１６内を吸湿側吸込口５ａの側の部分と放湿側吸込口５ｃの側の部分とに仕切る状態で設け、更に、その前記風路形成部１６内における潜熱交換ユニットＬよりも吸湿側吸込口５ａの側の部分を、風路仕切り壁２６により、潜熱交換ユニットＬの一対の開口２２ｗのうちの一方と前記吸湿側吸込口５ａが臨む吸湿側吸込室２７と、潜熱交換ユニットＬの一対の開口２２ｗのうちの他方が臨む放湿側送出室２８とに仕切ってある。
【００３４】
前記顕熱交換器２５を、前記複数の第１熱交換流路の入口側開口部が形成された側面２５ａを前記中間隔壁１５の側とは反対側に向けた姿勢で、その側面２５ａと前記複数の第２熱交換流路の出口側開口部が形成された側面２５ｄとにより形成される角部２５ｅを潜熱交換ユニットＬにおける調湿ロータ１０に近接させた状態で設けて、前記風路形成部１６内における潜熱交換ユニットＬよりも前記放湿側吸込口５ｃの側の部分を、前記複数の第１熱交換流路の入口側開口部が形成された側面２５ａと前記潜熱交換ユニットＬの一対の開口２２ｗのうちの一方とが臨む吸湿側接続室２９、前記複数の第１熱交換流路の出口側開口部が形成された側面２５ｂが臨む吸湿側送出室３０、前記複数の第２熱交換流路の入口側開口部が形成された側面２５ｃ及び前記放湿側吸込口５ｃが臨む放湿側吸込室３１、及び、前記複数の第２熱交換流路の出口側開口部が形成された側面２５ｄと前記潜熱交換ユニットＬの一対の開口２２ｗのうちの他方とが臨む放湿側接続室３２の４室に仕切ってある。
尚、潜熱交換ユニットＬにおける一対の開口部２２ｗの境界部分と顕熱交換器２５の前記角部２５ｅとわたって風路仕切り壁３３を設けて、その風路仕切り壁３３にて前記吸湿側接続室２９と前記放湿側接続室３２とを仕切ってある。
【００３５】
前記顕熱交換器２５の配置形態について説明を加えると、この顕熱交換器２５は、その複数の第２熱交換流路の出口側開口部が形成された側面２５ｄが、前記調湿ロータ１０の軸芯方向の端面と４５°よりも小さい角度（例えば、２５°）で対向する状態に設けてある。
【００３６】
図１及び図３に示すように、前記中間隔壁１５には、前記吸湿側送出室３０と前記吸湿側送風機室１９とを連通する吸湿側連通開口３４、及び、前記放湿側送出室２８と前記放湿側送風機室２０とを連通する放湿側連通開口３５を形成してある。
【００３７】
前記調湿用加熱器１２は、熱媒を通流させる熱媒流通管（図示省略）を空気の通過が可能なように蛇行状に配管した熱媒循環式に構成し、図１に示すように、その調湿用加熱器１２を、前記放湿側接続室３２内に、前記顕熱交換器２５における前記複数の第２熱交換流路の出口が形成された側面２５ｄに近接させた状態で設けてある。
そして、その調湿用加熱器１２と熱源機（図示省略）とを熱媒循環路３６にて接続して、その熱源機にて加熱した熱媒を熱媒循環路３６を通じて調湿用加熱器１２に循環供給するように構成してある。
そして、前記熱媒循環路３６に調湿用熱動弁３７を設けて、その調湿用熱動弁３７を開閉して前記調湿用加熱器１２への熱媒の供給を断続することにより、前記調湿用加熱器１２を加熱作用状態と加熱停止状態とに切り換え自在に構成してある。
【００３８】
前記乾燥用加熱器４０は、前記調湿用加熱器１２と同様に、熱媒循環式に構成し、図１に示すように、その乾燥用加熱器４０を、前記吸湿側吸込室２７内に設けてある。
そして、その乾燥用加熱器４０と前記熱源機とを熱媒循環路４１にて接続し、その熱媒循環路４１に乾燥用熱動弁４２を設けて、その乾燥用熱動弁４２を開閉して前記乾燥用加熱器４０への熱媒の供給を断続することにより、前記乾燥用加熱器４０を加熱作用状態と加熱停止状態とに切り換え自在に構成してある。
【００３９】
図１に示すように、前記吸湿側吸込口５ａ、前記放湿側吸込口５ｃには、夫々、通過する空気から除塵する第１フィルタ３８、第２フィルタ３９を設けてある。
【００４０】
前記吸湿側送風機７を、前記吸湿側送風機室１９内に、前記吸湿側連通開口３４に吸引作用するように設けて、前記吸湿側風路６を、前記吸湿側吸込室２７、前記吸湿側接続室２９及び前記吸湿側送出室３０を備えて構成してある。
そして、吸湿側送風機７を作動させることにより、前記吸湿側吸込口５ａから吸い込んだ吸湿対象空気Ａ１を、吸湿側吸込室２７、調湿ロータ１０、吸湿側接続室２９、顕熱交換器２５の第１熱交換流路、吸湿側送出室３０、吸湿側連通開口３４を順次通過させる形態で、吸湿側風路６を通して通流させて、吸湿側送出口５ｂから送出するように構成してある。
【００４１】
又、前記放湿側送風機９を、前記放湿側送風機室２０内に、前記放湿側連通開口３５に吸引作用するように設けて、前記放湿側風路８を、前記放湿側吸込室３１、前記放湿側接続室３２及び前記放湿側送出室２８とを備えて構成してある。
そして、前記放湿側送風機９を作動させることにより、前記放湿側吸込口５ｃから吸い込んだ放湿対象空気Ａ２を、放湿側吸込室３１、顕熱交換器２５の第２熱交換流路、放湿側接続室３２、調湿ロータ１０、放湿側送出室２８、放湿側連通開口３５を順次通過させる形態で、放湿側風路８を通して通流させて、放湿側送出口５ｄから送出するように構成してある。
【００４２】
前記運転制御部１３は、前記吸湿側送風機７及び前記放湿側送風機９を作動させ、前記電動モータ１１を作動させて前記調湿ロータ１０を回転駆動し、前記調湿用熱動弁３７を開弁して前記調湿用加熱器１２を加熱作用状態にし、前記乾燥用熱動弁４２を閉弁して前記乾燥用加熱器４０を加熱停止状態にして、前記調湿ロータ１０において前記吸湿側風路６を通流する吸湿対象空気Ａ１から吸湿した水分を前記放湿側風路８を通流する放湿対象空気Ａ２に放湿する調湿運転と、前記吸湿側送風機７及び前記放湿側送風機９を作動させ、前記電動モータ１１を停止させて前記調湿ロータ１０を停止させ、前記調湿用熱動弁３７及び前記乾燥用熱動弁４２を閉弁して前記調湿用加熱器１２及び前記乾燥用加熱器４０を加熱停止状態にして、空調対象室を換気する換気運転と、前記吸湿側送風機７及び前記放湿側送風機９を作動させ、前記電動モータ１１を停止させて前記調湿ロータ１０を停止させ、前記調湿用熱動弁３７を閉弁して前記調湿用加熱器１２を加熱停止状態にし、前記乾燥用熱動弁４２を開弁して前記乾燥用加熱器４０を加熱作用状態にして、その乾燥用加熱器４０にて加熱された吸湿対象空気Ａ１を顕熱交換器２５に通流させてその顕熱交換器２５を乾燥する乾燥運転とに切り換え自在に構成してある。
【００４３】
前記調湿運転では、図１を参照すると、放湿対象空気Ａ２は、顕熱交換器２５、加熱作用状態の調湿用加熱器１２、駆動回転される調湿ロータ１０を順次通過する形態で放湿側風路８を通流し、一方、吸湿対象空気Ａ１は、加熱停止状態の乾燥用加熱器４０、駆動回転される調湿ロータ１０、顕熱交換器２５を順次通過する形態で、吸湿側風路６を通流する。
そして、吸湿対象空気Ａ１の温度が放湿対象空気Ａ２よりも高い場合には、放湿対象空気Ａ２は、顕熱交換器２５を通過するときに、吸湿対象空気Ａ１との熱交換により加熱され、更に、調湿用加熱器１２を通過することで加熱され、そのように加熱された放湿対象空気Ａ２が回転する調湿ロータ１０を通過するときに調湿ロータ１０から放湿させることにより調湿ロータ１０を再生し、一方、吸湿対象空気Ａ１は、回転する調湿ロータ１０を通過するときに、その吸湿対象空気Ａ１中の水蒸気が調湿ロータ１０における放湿対象空気Ａ２にて再生された部分に吸湿されると共にその吸湿による凝縮熱により加熱され、そのように吸湿並びに加熱された吸湿対象空気Ａ１が顕熱交換器２５を通過するときに放湿対象空気Ａ２との熱交換により冷却される。
【００４４】
前記換気運転では、図１を参照すると、放湿対象空気Ａ２は、顕熱交換器２５、加熱停止状態の調湿用加熱器１２、回転停止状態の調湿ロータ１０を順次通過する形態で放湿側風路８を通流し、一方、吸湿対象空気Ａ１は、加熱停止状態の乾燥用加熱器４０、回転停止状態の調湿ロータ１０、顕熱交換器２５を順次通過する形態で、吸湿側風路６を通流する。
つまり、換気運転では、調湿ロータ１０が回転停止状態であり、調湿用加熱器１２が加熱停止状態であるので、放湿対象空気Ａ２が調湿ロータ１０を通過しても放湿されることがなく、又、吸湿対象空気Ａ１が調湿ロータ１０を通過しても吸湿されることがないので、顕熱交換器２５において、単に放湿対象空気Ａ２と吸湿対象空気Ａ１とが熱交換されることになる。
【００４５】
前記乾燥運転では、図１を参照すると、放湿対象空気Ａ２は、顕熱交換器２５、加熱停止状態の調湿用加熱器１２、回転停止状態の調湿ロータ１０を順次通過する形態で放湿側風路８を通流し、一方、吸湿対象空気Ａ１は、加熱作用状態の乾燥用加熱器４０、回転停止状態の調湿ロータ１０、顕熱交換器２５を順次通過する形態で、吸湿側風路６を通流する。
つまり、乾燥運転では、調湿ロータ１０が回転停止状態であり、調湿用加熱器１２が加熱停止状態であるので、放湿対象空気Ａ２が調湿ロータ１０を通過しても放湿されることがなく、又、吸湿対象空気Ａ１が調湿ロータ１０を通過しても吸湿されることがなく、乾燥用加熱器４０にて加熱された吸湿対象空気Ａ１が顕熱交換器２５を通過するので、顕熱交換器２５にて結露が発生しているときには、その結露水が蒸発して顕熱交換器２５が乾燥されることになる。
【００４６】
又、運転制御部１３を、前記吸湿側送風機７及び前記放湿側送風機９夫々による送風量を設定送風量に調節すべく前記吸湿側送風機７及び前記放湿側送風機９夫々の駆動電力を調節するように構成し、且つ、前記吸湿側送風機７及び前記放湿側送風機９夫々について調節した駆動電力の値に基づいて、前記顕熱交換器２５での結露の発生を検出するように構成してある。
【００４７】
図１に示すように、前記操作部１４には、前記調湿運転と前記換気運転とに切り換える運転切換スイッチ５１、各種情報を表示する表示部５２等を設けてある。
そして、前記運転制御部１３は、前記操作部１４の運転切換スイッチ５１にて換気運転が指令されると、換気運転を実行し、前記操作部１４の運転切換スイッチ５１にて調湿運転が指令されると、調湿運転を実行するように構成してある。
【００４８】
前記運転制御部１３による調湿運転の実行中において、前記吸湿側風路６における前記調湿ロータ１０と前記顕熱交換器２５との間の箇所を通流する吸湿対象空気Ａ１の絶対湿度に相当する吸湿対象空気Ａ１の吸湿後絶対湿度を検出し、及び、前記放湿側風路８における前記顕熱交換器２５よりも通風方向上手側箇所を通流する放湿対象空気Ａ２の温度を検出して、その検出した放湿対象空気Ａ２の温度に対応する放湿対象空気温度の飽和絶対湿度を求めて、前記吸湿対象空気Ａ１の吸湿後絶対湿度及び前記放湿対象空気温度の飽和絶対湿度に基づいて、前記顕熱交換器２５での結露の発生を予測する調湿中結露予測処理を実行する結露発生予測手段としての結露発生予測部Ｍを設けてある。
【００４９】
この結露発生予測部Ｍは、前記運転制御部１３による換気運転の実行中において、前記吸湿側風路６における前記調湿ロータ１０よりも通風方向上手側箇所を通流する吸湿対象空気Ａ１の絶対湿度である吸湿前絶対湿度を検出し、及び、前記放湿側風路８における前記顕熱交換器２５よりも通風方向上手側箇所を通流する放湿対象空気Ａ２の温度を検出して、その検出した放湿対象空気Ａ２の温度に対応する放湿対象空気温度の飽和絶対湿度を求めて、前記吸湿対象空気Ａ１の吸湿前絶対湿度及び前記放湿対象空気温度の飽和絶対湿度に基づいて、前記顕熱交換器２５での結露の発生を予測する換気中結露予測処理を実行するように構成してある。
【００５０】
そして、前記運転制御部１３は、前記調湿運転の実行中において、前記結露発生予測部Ｍにて前記顕熱交換器２５での結露の発生が予測されることに基づいて、結露の発生を抑制する結露抑制処理として、前記吸湿側送風機７、前記放湿側送風機９及び前記電動モータ１１を停止させ、前記調湿用熱動弁３７を閉弁して前記調湿用加熱器１２を加熱停止状態にして、デシカント空調装置の運転を停止させる停止処理を実行し、その運転停止を停止用設定時間の間継続するように構成してある。
又、前記運転制御部１３は、前記調湿運転の実行中において、前記顕熱交換器２５での結露の発生を検出すると、前記乾燥運転に切り換え、その乾燥運転を乾燥用設定時間の間継続するように構成してある。ちなみに、前記停止用設定時間や乾燥用設定時間は、例えば３０〜６０分程度に設定する。
【００５１】
又、前記運転制御部１３は、前記換気運転の実行中において、前記結露発生予測部Ｍにて前記顕熱交換器２５での結露の発生が予測されることに基づいて、結露の発生を抑制する結露抑制処理として、前記吸湿側送風機７及び前記放湿側送風機９を停止させて、デシカント空調装置の運転を停止させる停止処理を実行し、その運転停止を前記停止用設定時間の間継続するように構成してある。
更に、前記運転制御部１３は、前記換気運転の実行中において、前記顕熱交換器２５での結露の発生を検出すると、前記乾燥運転に切り換え、その乾燥運転を前記乾燥用設定時間の間継続するように構成してある。
【００５２】
次に、前記運転制御部１３による前記吸湿側送風機７及び前記放湿側送風機９の制御構成について、説明を加える。尚、前記運転制御部１３による前記吸湿側送風機７及び前記放湿側送風機９夫々の制御構成は同様であるので、以下では、前記吸湿側送風機７を対象にして説明する。
図示は省略するが、吸湿側送風機７は、ＤＣ（直流）モータを駆動用電動機として備え、羽根体の回転速度（回転数）を検出する回転速度センサを備えて構成されている。
そして、運転制御部１３は、ＰＷＭ（パルス幅変調）制御により、駆動電力を調節して、吸湿側送風機７の回転速度を制御して、前記吸湿側送風機７の送風量を前記設定送風量に調節するように構成してある。
【００５３】
説明を加えると、予め、図５に示すように、吸湿側送風機７について、回転速度毎に、駆動電力を調節するためのＰＷＭ出力値と送風量との関係であるＰＷＭ出力−送風量特性を定め、又、図６に示すように、回転速度毎に、送風量と静圧との関係である送風量−静圧特性を定めて、これらＰＷＭ出力−送風量特性及び送風量−静圧特性をマップデータとして前記運転制御部１３に記憶させてある。
そして、静圧が予め設定した設計静圧のときに、設定送風量Ｑｓ（例えば１００ｍ3）を得るための回転速度を設計回転速度（例えば１５００ｒｐｍ）として設定してある。
【００５４】
このデシカント空調装置の設置時等に、このデシカント空調装置を設置した状態での静圧に対応して、送風量を設定送風量Ｑｓにするための初期目標回転速度を設定する試運転制御を実行させる。
この試運転制御について説明を加えると、吸湿側送風機７を前記設計回転速度で作動させて、図５に示す如きＰＷＭ出力−送風量特性に基づいて、吸湿側送風機７を前記設計回転速度で作動させるときのＰＷＭ出力値Ｖｘに対応する送風量Ｑｘを求め、更に、図６に示す如き送風量−静圧特性に基づいて、吸湿側送風機７を設計回転速度で作動させて送風量Ｑｘが得られる状態での静圧Ｐｘを求める。
続いて、下記の式１に示す如き静圧Ｐと送風量Ｑとの関係に基づいて、送風量が設定送風量Ｑｓのときの基準静圧Ｐｓを求める。
【００５５】
Ｐ＝ａＱ2……………（式１）
【００５６】
但し、ａは定数であり、この定数ａは、吸湿側送風機７を設計回転速度で作動させたときの送風量Ｑｘと静圧Ｐｘを上記の式１に代入して求めることになる。
【００５７】
そして、図６に示す如き送風量−静圧特性に基づいて、送風量を設定送風量Ｑｓにするための初期目標回転速度を求める。ちなみに、この実施形態では、５０ｒｐｍ間隔で段階的に設定した回転速度毎に送風量−静圧特性を設定して、目標回転速度を５０ｒｐｍ間隔で段階的に設定するように構成してある。つまり、これら設定した複数の送風量−静圧特性のうち、送風量が設定送風量Ｑｓであり静圧が基準静圧Ｐｓである点に最も近い送風量−静圧特性を選択して、その選択した送風量−静圧特性に対応する回転速度を初期目標回転速度に設定する。たとえは、初期目標回転速度が、１５５０ｒｐｍに設定される。
【００５８】
図７に示すように、前記設定送風量Ｑｓに対して、下限送風量Ｑｍｉｎ及び上限送風量Ｑｍａｘを設定してある。
そして、図７において太線にて示すように、運転制御部１３は、静圧の変化に応じて、吸湿側送風機７の送風量を下限送風量Ｑｍｉｎと上限送風量Ｑｍａｘとの間に維持するように、吸湿側送風機７の目標回転速度を変更用設定速度（例えば５０ｒｐｍ）ずつ増減設定することにより、吸湿側送風機７の送風量を設定送風量Ｑｓに調節することになる。
説明を加えると、運転制御部１３は、前記試運転制御の終了後、吸湿側送風機７の目標回転速度を前記初期目標回転速度として、吸湿側送風機７の回転速度が目標回転速度になるようにＰＷＭ出力値を調節する。
そして、吸湿側送風機７の回転速度が目標回転速度になるようにＰＷＭ出力値を調節する状態で、調節するＰＷＭ出力値に対応する送風量を図５に示す如きＰＷＭ出力−送風量特性に基づいて求め、その求めた送風量が下限送風量Ｑｍｉｎ以下になると、目標回転速度を変更用設定速度増大し、求めた送風量が上限送風量Ｑｍａｘ以上になると、目標回転速度を変更用設定速度減少するように変更しながら、吸湿側送風機７の回転速度が目標回転速度になるようにＰＷＭ出力値を調節する。
【００５９】
つまり、フィルタ３８の目詰まり又は顕熱交換器２５での結露等により、吸湿側風路６における通気抵抗が増大すると、送風量が減少する傾向となって吸湿側送風機７にかかる負荷が小さくなる傾向となるので、回転速度を目標回転速度に維持するためにＰＷＭ出力値が小さくなるように調節されることになり、送風量が減少する。そして、その送風量が下限送風量Ｑｍｉｎ以下になると、目標回転速度が変更用設定速度増大されることになり、吸湿側送風機７の回転速度が目標回転速度になるようにＰＷＭ出力値が増大調節される。
又、フィルタ３８の目詰まり又は顕熱交換器２５での結露が解消されることにより、吸湿側風路６における通気抵抗が減少すると、送風量が増加する傾向となって吸湿側送風機７にかかる負荷が大きくなる傾向となるので、回転速度を目標回転速度に維持するためにＰＷＭ出力値が大きくなるように調節されることになり、送風量が増加する。そして、その送風量が上限送風量Ｑｍａｘ以上になると、目標回転速度が変更用設定速度減少されることになり、吸湿側送風機７の回転速度が目標回転速度になるようにＰＷＭ出力値が減少調節される。
【００６０】
次に、前記結露発生予測部Ｍによる調湿中結露予測処理及び換気中結露予測処理夫々について、説明を加える。
図１に示すように、この結露発生予測部Ｍは、前記吸湿側吸込室２７内、即ち、前記吸湿側風路６における前記調湿ロータ１０よりも通風方向上手側箇所にて吸湿対象空気Ａ１の温度を検出する吸湿側温度センサＳｔb及び相対湿度を検出する吸湿側相対湿度センサＳｈb、前記放湿側吸込室３１内、即ち前記放湿側風路８における前記顕熱交換器２５よりも通風方向上手側箇所にて放湿対象空気Ａ２の温度を検出する放湿側温度センサＳｔr、並びに、演算処理部Ｃを備えて構成してある。
この演算処理部Ｃは、前記運転制御部１３を用いて構成してある。
【００６１】
そして、この演算処理部Ｃは、調湿中結露予測処理では、前記吸湿側温度センサＳｔb及び前記吸湿側相対湿度センサＳｈbにて吸湿側風路６における調湿ロータ１０よりも通風方向上手側箇所を通流する吸湿対象空気Ａ１の温度Ｔｂと相対湿度Ｈｂを検出して、その検出した吸湿対象空気Ａ１の温度Ｔｂ及び相対湿度Ｈｂに基づいて吸湿対象空気Ａ１の吸湿前絶対湿度ＨＡｂを求め、且つ、吸湿量導出情報に基づいて前記調湿部Ｂによる吸湿対象空気Ａ１からの吸湿量Ｆを求めて、求めた吸湿対象空気Ａ１の吸湿前絶対湿度ＨＡｂ及び調湿部Ｂによる吸湿量Ｆに基づいて、前記吸湿対象空気Ａ１の吸湿後絶対湿度ＨＡｄを求めるように構成してある。
【００６２】
又、演算処理部Ｃは、換気中結露予測処理では、前記調湿中結露予測処理と同様に、前記吸湿側温度センサＳｔb及び前記吸湿側相対湿度センサＳｈbにて吸湿側風路６における調湿ロータ１０よりも通風方向上手側箇所を通流する吸湿対象空気Ａ１の温度Ｔｂ及び相対湿度Ｈｂを検出して、その検出した吸湿対象空気Ａ１の温度Ｔｂ及び相対湿度Ｈｂに基づいて吸湿対象空気Ａ１の吸湿前絶対湿度ＨＡｂを求めるように構成してある。
【００６３】
更に、演算処理部Ｃは、前記調湿中結露予測処理及び前記換気中結露予測処理の夫々では、放湿側温度センサＳｔrにて放湿側風路８における顕熱交換器２５よりも通風方向上手側箇所にて放湿対象空気Ａ２の温度Ｔｒを検出して、その検出した温度Ｔｒに対応する放湿対象空気温度の飽和絶対湿度ＨＡｓを求めるように構成してある。
【００６４】
前記演算処理部Ｃは、前記吸湿側温度センサＳｔｂにて検出される吸湿対象空気Ａ１の温度Ｔｂ及び前記吸湿側相対湿度センサＳｈbにて検出される吸湿対象空気の相対湿度Ｈｂに基づいて、下記の式２により吸湿前絶対湿度ＨＡｂ（ｇ／ｋｇ）を求める。
【００６５】
【数１】
2008164203.tif 000003
【００６６】
又、演算処理部Ｃは、上記の式２により求めた吸湿前絶対湿度ＨＡｂに基づいて、下記の式３により、調湿部Ｂによる吸湿量Ｆ（ｇ／ｋｇ）を求める。
【００６７】
Ｆ＝０．０９７６×ＨＡｂ＋２．１６１……………（式３）
【００６８】
つまり、上記の式３が吸湿量導出情報に相当するものであり、この式３は、実験により定めた実験式であり、前記調湿ロータ１０の吸湿及び放湿特性、並びに、前記調湿用加熱器１２による放湿対象空気Ａ２の加熱温度等により決まるものである。
【００６９】
そして、演算処理部Ｃは、上述のように求めた吸湿前絶対湿度ＨＡｂ及び調湿部Ｂによる吸湿量Ｆに基づいて、下記の式４により、吸湿後絶対湿度ＨＡｄを求める。
【００７０】
ＨＡｄ＝ＨＡｂ−Ｆ……………（式４）
【００７１】
又、演算処理部Ｃは、放湿側温度センサＳｔrにて検出された放湿対象空気Ａ２の温度Ｔｒに基づいて、下記の式５により、放湿対象空気温度の飽和絶対湿度ＨＡｓを求める。
【００７２】
【数２】
2008164203.tif 000004
【００７３】
そして、調湿運転では、吸湿対象空気Ａ１は調湿ロータ１０を通過することにより吸湿されるので、その調湿ロータ１０を通過した吸湿対象空気Ａ１の絶対湿度、即ち、吸湿後絶対湿度ＨＡｄが放湿対象空気温度の飽和絶対湿度ＨＡｓよりも大きい場合に、その吸湿対象空気Ａ１が、顕熱交換器２５において放湿対象空気Ａ２との熱交換により冷却されると、顕熱交換器２５において結露が発生する虞がある。
そこで、演算処理部Ｃは、調湿中結露予測処理では、下記の式６の条件式を満足するときは結露が発生すると予測し、満足しないときは結露が発生しないと予測するように構成してある。
【００７４】
ＨＡｄ−Ｋ＞ＨＡｓ……………（式６）
【００７５】
但し、Ｋは補正値であり、正の定数、例えば０．５に設定する。
つまり、前記吸湿側温度センサＳｔbや前記吸湿側相対湿度センサＳｈbの検出誤差により、吸湿後絶対湿度ＨＡｄに誤差が生じる場合があるので、その吸湿後絶対湿度ＨＡｄを補正値Ｋにより小さく補正することにより、前記吸湿側温度センサＳｔbや前記吸湿側相対湿度センサＳｈbの検出誤差に拘わらず、顕熱交換器２５で実際に結露が発生するのをより的確に抑制するようにしてある。
【００７６】
又、前記換気運転では、吸湿対象空気Ａ１は調湿ロータ１０を通過しても吸湿されることがないので、調湿ロータ１０を通過する前の吸湿対象空気Ａ１の絶対湿度、即ち、吸湿前絶対湿度ＨＡｂが放湿対象空気温度の飽和絶対湿度ＨＡｓよりも大きい場合に、その吸湿対象空気Ａ１が、顕熱交換器２５において放湿対象空気Ａ２との熱交換により冷却されると、顕熱交換器２５において結露が発生する虞がある。
そこで、演算処理部Ｃは、換気中結露予測処理では、下記の式７の条件式を満足するときは結露が発生すると予測し、満足しないときは結露が発生しないと予測するように構成してある。
ＨＡｂ＞ＨＡｓ……………（式７）
【００７７】
つまり、換気運転中は、吸湿対象空気Ａ１が調湿ロータ１０を通過しても吸湿されることがないので、吸湿対象空気Ａ１の吸湿前絶対湿度ＨＡｂが放湿対象空気温度の飽和絶対湿度ＨＡｓよりも大きくなると、顕熱交換器２５において結露が発生すると予測する構成としてある。
【００７８】
又、予め、結露発生を検出するための検出用設定時間、及び、検出用設定ＰＷＭ値変化幅を設定して、前記運転制御部１３に記憶させてある。
ちなみに、前記検出用設定時間は、フィルタ３８やフィルタ３９の目詰まりにより、送風量を設定送風量Ｑｓに維持するためのＰＷＭ出力値の変化が前記検出用設定ＰＷＭ値変化幅になるのに費やす時間よりも十分に短い時間（例えば２〜３時間）に設定してある。
【００７９】
そして、前記運転制御部１３は、送風量を設定送風量Ｑｓに維持するためのＰＷＭ出力値における前記検出用設定時間の間の変化幅が前記検出用設定ＰＷＭ値変化幅よりも大きくなると、前記顕熱交換器２５で結露が発生したことを検出するように構成してある。
つまり、顕熱交換器２５において結露が発生すると静圧が上昇するが、その静圧の上昇は、フィルタ３８やフィルタ３９の目詰まりによる静圧の上昇に比べて短時間の間に起こるので、送風量を設定送風量Ｑｓに維持するための前記検出用設定時間の間におけるＰＷＭ出力値の変化幅は、顕熱交換器２５において結露が発生した場合の方がフィルタ３８やフィルタ３９の目詰まりによる場合に比べてかなり大きくなり、上述のように運転制御部１３を構成することにより、顕熱交換器２５での結露の発生を的確に検出することができるのである。
【００８０】
要するに、ＰＷＭ出力値は前記吸湿側送風機７や前記放湿側送風機９について調節した駆動電力の値に相当するので、前記運転制御部１３を、前記吸湿側送風機７及び前記放湿側送風機９夫々について調節した駆動電力の値に基づいて、前記顕熱交換器２５での結露の発生を検出するように構成してある。
【００８１】
次に、図８に示すフローチャートに基づいて、このデシカント空調装置の制御動作を説明する。
前記顕熱交換器２５での結露の発生の予測による運転停止中ではなく、且つ、乾燥運転中でないときは、前記運転切換スイッチ５１にて換気運転が指令された状態では、前記換気運転を実行し、前記運転切換スイッチ５１にて調湿運転が指令された状態では、前記調湿運転を実行する（ステップ＃１〜６）。
【００８２】
そして、前記換気運転の実行中は、ステップ＃７において、前記の式７に示す条件式により前記顕熱交換器２５で結露が発生するか否かを予測して、前記顕熱交換器２５での結露の発生を予測すると、前記停止処理を実行して、前記停止用設定時間の間デシカント空調装置の運転を停止させ（ステップ＃８，１，１１）、ステップ＃７において、前記顕熱交換器２５での結露の発生を予測しないときは、ステップ＃９において、送風量を前記設定送風量Ｑｓに維持するためのＰＷＭ出力値の前記検出用設定時間の間における変化幅が前記検出用設定ＰＷＭ値変化幅を上回るか否かにより前記顕熱交換器２５での結露の発生の有無を検出して、前記顕熱交換器２５での結露の発生を検出すると、前記乾燥用設定時間の間、前記乾燥運転を実行する（ステップ＃１０，１，２，１２）。
【００８３】
前記調湿運転の実行中は、ステップ＃７において、前記の式６に示す条件式により前記顕熱交換器２５で結露が発生するか否かを予測して、前記顕熱交換器２５での結露の発生を予測すると、前記停止処理を実行して、前記停止用設定時間の間デシカント空調装置の運転を停止させ（ステップ＃８，１，１１）、ステップ＃７において、前記顕熱交換器２５での結露の発生を予測しないときは、ステップ＃９において、送風量を前記設定送風量Ｑｓに維持するためのＰＷＭ出力値の前記検出用設定時間の間における変化幅が前記検出用設定ＰＷＭ値変化幅を上回るか否かにより前記顕熱交換器２５での結露の発生の有無を検出して、前記顕熱交換器２５での結露の発生を検出すると、前記乾燥用設定時間の間、前記乾燥運転を実行する（ステップ＃１０，１，２，１２）。
【００８４】
この第１実施形態のデシカント空調装置は、外気ＯＡを加湿して供給用空気ＳＡとして空調対象室に供給する加湿型に構成してある。
つまり、図１に示すように、この第１実施形態においては、前記吸湿側吸込口５ａを前記内気吸込口３として、前記吸湿側送出口５ｂを前記排気送出口４として夫々用い、並びに、前記放湿側吸込口５ｃを前記外気吸込口１として、前記放湿側送出口５ｄを前記給気送出口２として夫々用いるように構成してある。
そして、前記内気吸込口３から吸い込んだ吸湿対象空気Ａ１としての内気ＲＡを、吸湿側風路６を通して通流させて排出用空気ＥＡとして排気送出口４から屋外に排出し、並びに、前記外気吸込口１から吸い込んだ放湿対象空気Ａ２としての外気ＯＡを、放湿側風路８を通して通流させて給気送出口２から供給用空気ＳＡとして空調対象室に供給するようにして、空調対象室を換気するように構成してある。
【００８５】
前記調湿運転では、放湿対象空気Ａ２としての外気ＯＡは、顕熱交換器２５を通過するときに吸湿対象空気Ａ１としての内気ＲＡとの熱交換により加熱され、続いて、前記調湿用加熱器１２にて加熱された後、調湿ロータ１０を通過することにより放湿されて、換言すれば加湿されて、供給用空気ＳＡとして空調対象室に供給されるので、空調対象室を加湿しながら換気することができる。
【００８６】
以下、前記調湿中結露予測処理及び前記換気中結露予測処理の夫々による顕熱交換器２５での結露発生の予測の具体例を説明する。
例えば、吸湿側温度センサＳｔbにて検出される吸湿対象空気Ａ１としての内気ＲＡの温度Ｔｂが２０°Ｃ、吸湿側相対湿度センサＳｈbにて検出される吸湿対象空気Ａ１としての内気ＲＡの相対湿度が５０％、放湿側温度センサＳｔrにて検出される放湿対象空気Ａ２としての外気ＯＡの温度Ｔｒが７°Ｃである場合を例にして説明する。
【００８７】
前記式２により、吸湿対象空気Ａ１としての内気ＲＡの吸湿前絶対湿度ＨＡｂが７．２７０（ｇ／ｋｇ）として求められ、前記式３により、調湿部Ｂによる吸湿量Ｆが２．８７１（ｇ／ｋｇ）として求められるので、前記式４により、吸湿対象空気Ａ１としての内気ＲＡの吸湿後絶対湿度ＨＡｄが４．３９９（ｇ／ｋｇ）として求められる。
又、前記式５により、放湿対象空気Ａ２としての外気ＯＡにおける放湿対象空気温度の飽和絶対湿度ＨＡｓが６．２１２（ｇ／ｋｇ）として求められる。
【００８８】
そして、前記調湿中結露予測処理では、前記式６の条件式を満たさないと判別されるので、前記顕熱交換器２５では結露が発生しないと予測されることになる。
又、前記換気中結露予測処理では、前記式７の条件式を満たすと判別されるので、前記顕熱交換器２５で結露が発生すると予測されることになる。
【００８９】
〔第２実施形態〕
以下、本発明の第２実施形態を説明する。
この第２実施形態では、外気ＯＡを除湿して供給用空気ＳＡとして空調対象室に供給する除湿型に構成してある。
つまり、図９に示すように、この第２実施形態においては、前記吸湿側吸込口５ａを前記外気吸込口１として、前記吸湿側送出口５ｂを前記給気送出口２として夫々用い、並びに、前記放湿側吸込口５ｃを前記内気吸込口３として、前記放湿側送出口５ｄを前記排気送出口４として夫々用いるように構成してある。
そして、前記外気吸込口１から吸い込んだ吸湿対象空気Ａ１としての外気ＯＡを、吸湿側風路６を通して通流させて供給用空気ＳＡとして給気送出口２から空調対象室に供給し、並びに、前記内気吸込口３から吸い込んだ放湿対象空気Ａ２としての内気ＲＡを、放湿側風路８を通して通流させて排気送出口４から排出用空気ＲＡとして屋外に排出するようにして、空調対象室を換気するように構成してある。
【００９０】
前記調湿運転では、吸湿対象空気Ａ１としての外気ＯＡは、調湿ロータ１０を通過することにより吸湿されて、換言すれば、除湿され、続いて、顕熱交換器２５を通過するときに放湿対象空気Ａ２としての内気ＲＡとの熱交換により冷却されて、供給用空気ＳＡとして空調対象室に供給されるので、空調対象室を除湿しながら換気することができる。
【００９１】
この第２実施形態においても、上記の第１実施形態と同様の結露発生予測部Ｍを設けて、第１実施形態と同様に、前記運転制御部１３を、前記調湿運転及び前記換気運転夫々の実行中において、前記結露発生予測部Ｍにて前記顕熱交換器２５での結露の発生が予測されることに基づいて、結露の発生を抑制する結露抑制処理として、デシカント空調装置の運転を停止させる停止処理を実行するように構成してある。
【００９２】
又、この第２実施形態においても、第１実施形態と同様に、運転制御部１３を、前記吸湿側送風機７及び前記放湿側送風機９夫々による送風量を設定送風量に調節すべく前記吸湿側送風機７及び前記放湿側送風機９夫々の駆動電力を調節するように構成し、且つ、前記吸湿側送風機７及び前記放湿側送風機９夫々について調節した駆動電力の値に基づいて、前記顕熱交換器２５での結露の発生を検出するように構成して、前記調湿運転及び前記換気運転夫々の実行中において、前記顕熱交換器２５での結露の発生を検出すると、前記乾燥運転に切り換えるように構成してある。
【００９３】
〔別実施形態〕
次に別実施形態を説明する。
（イ）  前記調湿運転中及び前記換気運転中の夫々において、前記結露発生予測部Ｍにより顕熱交換器２５での結露の発生が予測されたときに前記運転制御部１３に実行させる処理として、上記の各実施形態においては、結露の発生を抑制する結露抑制処理を実行させる場合について例示したが、「結露の発生の虞があります」等、結露の発生の虞があることを報知するメッセージを前記表示部５２に表示する等の報知処理を実行させるように構成しても良い。
又、前記調湿運転中及び前記換気運転中の夫々において、前記運転制御部１３が顕熱交換器２５での結露の発生を検出したときにその運転制御部１３に実行させる処理として、上記の各実施形態においては、乾燥運転を実行させる場合について例示したが、「結露が発生しました」等、結露が発生したことを報知するメッセージを前記表示部５２に表示する等の報知処理を実行させるように構成しても良い。
【００９４】
（ロ）  上記の各実施形態においては、結露発生予測部Ｍを、式２の如き演算式にて吸湿対象空気Ａ１の吸湿前絶対湿度ＨＡｂを求めるように構成したが、空気の温度及び相対湿度と絶対湿度との関係を定めたマップデータ等の情報により吸湿対象空気Ａ１の吸湿前絶対湿度ＨＡｂを求めるように構成しても良い。
又、式５の如き演算式にて放湿対象空気温度の飽和絶対湿度ＨＡｓを求めるように構成したが、空気の温度と絶対湿度との関係を定めたマップデータ等の情報により放湿対象空気温度の飽和絶対湿度ＨＡｓを求めるように構成しても良い。
又、式３の如き演算式にて調湿部Ｂによる吸湿量Ｆを求めるように構成したが、吸湿前絶対湿度ＨＡｂと調湿部Ｂによる吸湿量Ｆとの関係を定めたマップデータ等の情報、あるいは、吸湿側風路６における調湿ロータ１０よりも通風方向上手側箇所を通流する吸湿対象空気Ａ１の温度Ｔｂ及び相対湿度Ｈｂと調湿部Ｂによる吸湿量Ｆとの関係を定めたマップデータ等の情報により調湿部Ｂによる吸湿量Ｆを求めるように構成しても良い。
【００９５】
（ハ）  結露発生予測部Ｍの具体構成は、上記の各実施形態において例示した構成に限定されるものではなく、例えば、吸湿側風路６における調湿ロータ１０よりも通風方向下手側箇所を通流する吸湿対象空気Ａ１の温度と相対湿度を検出して、その検出した吸湿対象空気Ａ１の温度及び相対湿度に基づいて吸湿対象空気Ａ１の吸湿後絶対湿度ＨＡｄを求めるように構成しても良い。
【００９６】
（ニ）  結露抑制処理の具定例としては、上記の各実施形態において例示したように、デシカント空調装置を停止させる停止処理に限定されるものではない。
例えば、上記の各実施形態において説明した乾燥運転でも良い。
あるいは、放湿側送風機９を停止させて、放湿側風路８を通しての放湿対象空気Ａ２の通流を停止させた状態で、吸湿側風路６を通して吸湿対象空気Ａ１を通流させる運転でも良い。この場合、例えば、加湿型では、冬期等において、放湿対象空気Ａ２としての低温の外気ＯＡの通流を停止した状態で、吸湿対象空気Ａ１としての暖房中の空調対象室からの内気ＲＡを顕熱交換器２５に通流させることにより、顕熱交換器２５での結露の発生を的確に抑制することが可能となる。
【００９７】
（ホ）  乾燥運転の具体的な制御形態として、上記の各実施形態においては、前記吸湿側送風機７及び前記放湿側送風機９を作動させ、前記電動モータ１１を停止させて前記調湿ロータ１０を停止させ、前記調湿用熱動弁３７を閉弁して前記調湿用加熱器１２を加熱停止状態にし、前記乾燥用熱動弁４２を開弁して前記乾燥用加熱器４０を加熱作用状態にする形態としたが、この制御形態に限定されるものではなく、例えば、前記の制御形態において、前記放湿側送風機９を停止させる形態でも良い。
この場合、例えば、加湿型では、冬期等において、放湿対象空気Ａ２としての低温の外気ＯＡの通流を停止した状態で、吸湿対象空気Ａ１としての暖房中の空調対象室からの内気ＲＡを顕熱交換器２５に通流させることにより、顕熱交換器２５を効率良く乾燥させることが可能となる。
【００９８】
（ヘ）  上記の各実施形態においては、送風量を設定送風量Ｑｓに維持するためのＰＷＭ出力値における検出用設定時間の間の変化に基づいて、前記顕熱交換器２５での結露の発生を検出するように構成したが、送風量を設定送風量Ｑｓに維持するための吸湿側送風機７や放湿側送風機９の回転速度における検出用設定時間の間の変化に基づいて、前記顕熱交換器２５での結露の発生を検出するように構成しても良い。
【００９９】
（ト）  上記の各実施形態では、調湿中結露予測処理において、顕熱交換器２５での結露の発生を予測するに当たって、吸湿対象空気Ａ１の吸湿後絶対湿度ＨＡｄを補正値Ｋにより補正する場合について例示したが、吸湿対象空気Ａ１の吸湿後絶対湿度ＨＡｄを補正しないよう構成しても良い。
又、換気中結露予測処理において、顕熱交換器２５での結露の発生を予測するに当たって、吸湿対象空気Ａ１の吸湿前絶対湿度ＨＡｂを補正値にて小さくするように補正しても良い。
【０１００】
（チ）  吸湿側送風機７及び放湿側送風機８夫々による送風量を設定送風量Ｑｓに維持するように夫々の回転速度を制御するに当たって、上記の各実施形態において例示したように、目標回転速度を段階的に設定する場合に、目標回転速度を段階的に設定するための変更用設定速度は、上記の各実施形態において例示した５０ｒｐｍに限定されるものでなく、例えば、５０ｒｐｍよりも小さく設定しても良い。
又、吸湿側送風機７及び放湿側送風機８夫々による送風量を設定送風量Ｑｓに維持するように夫々の回転速度を制御するに当たって、上記の各実施形態においては、夫々の回転速度を段階的に変更調節するように構成する場合について例示したが、夫々の回転速度を連続的に変更調節するように構成しても良い。
【０１０１】
（リ）  顕熱交換部Ｓを構成するに、上記の各実施形態においては、静止型の顕熱交換器２５にて構成したが、一部を吸湿側風路６に位置させ且つ他の一部を放湿側風路８に位置させるように配置される顕熱交換ロータ及びその顕熱交換ロータにおける前記吸湿側風路６に位置させる部分及び前記放湿側風路８に位置させる部分を回転に伴って変更させるように前記顕熱交換ロータを駆動回転する顕熱交換用電動モータを備えた回転型に構成しても良い。
【０１０２】
（ヌ）  外気ＯＡを放湿対象空気Ａ２として、その外気ＯＡを加湿する調湿運転、及び、外気ＯＡを吸湿対象空気Ａ１として、その外気ＯＡを除湿する調湿運転の両方が実行可能なようにデシカント空調装置を構成しても良い。
（ル）  調湿用加熱器１２や乾燥用加熱器４０は、熱媒循環式に限定されるものではなく、例えば、電気ヒータでも良い。
【図面の簡単な説明】
【０１０３】
【図１】第１実施形態に係るデシカント空調装置の全体構成を示す図
【図２】図１におけるＩＩ−ＩＩ矢視図
【図３】図１におけるＩＩＩ−ＩＩＩ矢視図
【図４】潜熱交換ユニットの斜視図
【図５】ＰＷＭ出力−送風量特性を示す図
【図６】送風量−静圧特性を示す図
【図７】送風量を設定送風量に調節するための目標回転速度の設定を説明する図
【図８】デシカント空調装置の制御動作のフローチャートを示す図
【図９】第２実施形態に係るデシカント空調装置の全体構成を示す図
【符号の説明】
【０１０４】
６    吸湿側風路
７    吸湿側送風手段
８    放湿側風路
９    放湿側送風手段
１０  調湿体
１１  駆動手段
１２  調湿用加熱手段
１３  運転制御手段
４０  乾燥用加熱手段
Ｂ    調湿手段
Ｍ    結露発生予測手段
Ｓ    顕熱交換部
【図１】
2008164203.tif 000005
【図２】
2008164203.tif 000006
【図３】
2008164203.tif 000007
【図４】
2008164203.tif 000008
【図５】
2008164203.tif 000009
【図６】
2008164203.tif 000010
【図７】
2008164203.tif 000011
【図８】
2008164203.tif 000012
【図９】
2008164203.tif 000013